(57)【特許請求の範囲】
【請求項１】
室外に配設されて熱流体を供給する室外ユニットと，前記熱流体と室内空気とを熱交換させることにより当該室内空気を空気調和し，その空気を天井裏に吐出す室内ユニットと，空気調和する部屋の天井に設けられると共にフィルタを備えて，天井裏の調和された空気をフィルタリングしながら当該部屋に吹出す吹出装置とを有した空気調和システムにおいて，
前記吹出装置にはグリルが装着されて，当該グリルには，前記フィルタを出入するためのフィルタ出入口が設けられると共に，
前記吹出装置に，前記フィルタを前記グリルのフィルタ出入口から挿入する際の挿入位置をガイドするガイド部と，このガイド部の下端近傍に設けられて当該ガイド部にガイドされて挿入された前記フィルタの下端部が落し込まれて自重で填り込むことにより当該フィルタを支持する下端溝部を備えたことを特徴とする空気調和システム。
【発明の詳細な説明】
【０００１】
【発明の属する技術分野】
本発明は，空気調和された空気を天井裏や廊下を介して屋内を循環させて複数の部屋を１台の室内ユニットで空気調和を行う空気調和システムに係り，特に天井裏の空気調和された空気を各部屋に送風する吹出装置に設けられたフィルタの取外しが容易にできるようにした空気調和システムに関する。
【０００２】
【従来の技術】
従来，複数の部屋を空気調和するには，各部屋に対応して空気調和機を設けることが一般的であるが，これでは必要とする空気調和機の台数が多くなり不経済である。
【０００３】
そこで，各部屋に室内ユニットを設けて，当該室内ユニットに１台の室外ユニットから冷媒を供給することにより，空気調和を行うマルチ式空気調和機が市場に提供され始められている。
【０００４】
しかし，このマルチ方式の空気調和機でも，室内ユニットは被調和室と同じ台数が必要となると共に，被調和室の数が多い場合には，冷媒配管の総配管距離が長くなるため冷媒循環を行うのに能力が大きい室外ユニットを使用しなければならず，また複雑な冷媒配管経路となるため施工性及びメンテナンス性に欠ける問題がある。
【０００５】
このような観点から，マンション等の気密性が高い住宅においては，ダクトレスの空気調和システムが提案されている。
【０００６】
かかるダクトレスの空気調和システムは，天井裏に１台の室内ユニットを配設し，また空気調和する部屋に吹出装置を配設したものである。
【０００７】
そして，当該天井裏や床下をダクトとして作用させることにより，空気の循環路を形成して，複数の部屋を１台の室内ユニット及び室外ユニットで空気調和できるようにしたものである。
【０００８】
【発明が解決しようとする課題】
しかしながら，吹出装置が天井に設けられるため，出来るだけ小型化又は薄型化する必要があり，フィルタの取付構造においても工夫が必要とされている。
【０００９】
無論，種々の部材を組合わせて，フィルタの脱着が容易な小型のフィルタ取付構造を構成することも可能であるが，かかる場合にはコストアップの要因となり，また複雑な構成では故障の原因ともなる問題がある。
【００１０】
そこで本発明は，簡単，かつ，安価な構成で小型化が可能なフィルタ取付具を備えた空気調和システムを提供することを目的とする。
【００１１】
【課題を解決するための手段】
上記課題を解決するために本発明は，室外に配設されて熱流体を供給する室外ユニットと，熱流体と室内空気とを熱交換させることにより当該室内空気を空気調和し，その空気を天井裏に吐出す室内ユニットと，空気調和する部屋の天井に設けられると共にフィルタを備えて，天井裏の調和された空気をフィルタリングしながら当該部屋に吹出す吹出装置とを有した空気調和システムにおいて，吹出装置にはグリルが装着されて，当該グリルには，フィルタを出入するためのフィルタ出入口が設けられると共に，吹出装置に，フィルタをグリルのフィルタ出入口から挿入する際の挿入位置をガイドするガイド部と，このガイド部の下端近傍に設けられて当該ガイド部にガイドされて挿入されたフィルタの下端部が落し込まれて自重により填り込んで，当該フィルタを支持する下端溝部を備えたことを特徴とする。
【００１２】
【発明の実施の形態】
本発明の実施の形態を図を参照して説明する。図１は本発明にかかる空気調和システムを高気密性，高断熱性のあるマンション等の家屋に設けた場合の模式図であり，図２は後述する吹出装置が設けられた被調和室の様子を示す模式図である。
【００１３】
当該空気調和システムは，室外に配設されて冷媒を圧縮する図示しない圧縮機を備えた室外機５ａ，温水等の熱源を供給する熱源機５ｂ，廊下１１等の非調和室の天井裏１２に配設されて，室外機５ａや熱源機５ｂから供給された冷媒及び温水と廊下１１から吸気した空気とを熱交換させて空気調和する室内機２０ａ，複数の部屋の天井に設けられて当該部屋に調和空気を吹出す吹出装置２０ｂ等を有して，室外機５ａ及び熱源機５ｂが室外ユニット５を構成し，室内機２０ａが室内ユニットを構成している。
【００１４】
そして，室内機２０ａからの調和空気は天井裏１２を介して吹出装置２０ｂにより各部屋に吹出され，また各部屋の空気は部屋排気口８を通って廊下１１等に集り，室内機２０ａに循環するようになっている。
【００１５】
従って，天井裏１２及び廊下１１の各空間が室内機２０ａと吹出装置２０ｂとを結ぶダクトとして作用している。
【００１６】
図３は吹出装置２０ｂの部分破断斜視図であり，図４は，後述するグリル及び吹出ファンを取除いたときの当該吹出装置２０ｂの正面図を示している。
【００１７】
吹出装置２０ｂにはグリル２１が装着されて，当該グリル２１には，後述するフィルタ２２を出入するためのフィルタ出入口２３が閉塞可能に設けられると共に，空気の送風方向を制御するルーバー２４が設けられている。
【００１８】
また，吹出装置２０ｂ内には，調和された空気を天井裏１２から吸気して室内に吐出す吹出ファン２５，吸気した空気のゴミ等を除去するフィルタ２２，吹出ファン２５を駆動制御する駆動制御部２６等が配設されている。なお，当該駆動制御部２６は，電装箱２７に収納されている。
【００１９】
図５は，図４に示す矢視ＡＡ断面図である。同図を参照してフィルタ取付具の構成を説明する。フィルタ取付具は，吹出装置の筐体に形成されてフィルタ２２の上端部が填る上端溝部３１，下端部が填る下端溝部３２，フィルタ２２を挿入する際の挿入位置をガイドするガイド部３３等を有している。
【００２０】
下端溝部３２は，装着されたフィルタ２２の水平位置を規制する位置規制片３４，フィルタ２２の下端が載置される載置片３５，フィルタ２２が載置片３５から容易に（簡単に）脱着できないように規制する係片３６を有している。
【００２１】
そして，位置規制片３４と載置片３５とが概略「Ｌ」字状をなして，載置片３５の端部に係片３６が突設されている。
【００２２】
このような構成で，フィルタ２２を装着するときは，フィルタ２２をフィルタ出入口２３から挿入する。このとき，フィルタ２２の上端部は，ガイド部３３に当接してガイドされて上端溝部３１に填る。
【００２３】
その後，上端溝部３１を中心としてフィルタ２２の下端部を回転させる。図５では時計回りに回転する場合を示している。
【００２４】
これにより，当該フィルタ２２の下端部は係片３６を乗越えて，位置規制片３４と係片３６との間に入込むので，そこで手を離すとフィルタ２２の自重により当該フィルタ２２が落込んで装着が完了する。
【００２５】
フィルタ２２は，鉄等のフレームにネット状のフィルタ部材が取付けられた構成であり，適量の重さを有している。
【００２６】
従って，コンパクト化が可能になり，かつ，確実に位置規制片３４と係片３６との間に落し込むことが可能になると共に，天井裏１２の空気を吸込んだ際に，フィルタ２２が当該空気に押されて係片３６から外れることがないようになっている。
【００２７】
【発明の効果】
以上説明したように，本発明によれば，吹出装置にはグリルが装着されて，当該グリルには，フィルタを出入するためのフィルタ出入口が設けられると共に，吹出装置に，フィルタをグリルのフィルタ出入口から挿入する際の挿入位置をガイドするガイド部と，このガイド部の下端近傍に設けられて当該ガイド部にガイドされて挿入されたフィルタの下端部が落し込まれて自重により填り込んで，当該フィルタを支持する下端溝部を備えたので，簡単，かつ，安価な構成で吹出装置の小型化及びグリルを開けることなくフィルタの脱着が可能になる。
【図面の簡単な説明】
【図１】本発明の実施の形態の説明に適用される空気調和システムをマンションに適用した際の模式図である。
【図２】被調和室の様子を示す模式図である。
【図３】吹出装置の部分破断斜視図である。
【図４】吹出装置の分解正面図である。
【図５】図４における矢視ＡＡ断面図である。
【符号の説明】
５  室外ユニット
５ａ  室外機
５ｂ  熱源機
１１  廊下
１２  天井裏
１３  床下
２０  室内ユニット
２０ａ  室内機
２０ｂ  吹出装置
２２  フィルタ
２５  クロスファン
３１  上端溝部
３２  下端溝部
【図１】
0003966617.tif 000002
【図２】
0003966617.tif 000003
【図３】
0003966617.tif 000004
【図４】
0003966617.tif 000005
【図５】
0003966617.tif 000006